【手続補正書】
【提出日】平成24年2月29日(2012.2.29)
【手続補正１】
【補正対象書類名】特許請求の範囲
【補正対象項目名】請求項１
【補正方法】変更
【補正の内容】
【請求項１】
質量％で、Ｍｇ：０．１１〜３０％を含有し、残部Ｚｎ及び不可避的不純物からなる１次粒子を互いに衝突させて、又は該１次粒子を固体に衝突させて、該１次粒子を破砕し、形成される物理的破砕面および／または長さ０．０１μｍ以上のき裂、もしくは深さ０．０１μｍ以上のき裂を有し、平均粒径が０．０５〜２００μｍで、最大径と最小径のアスペクト比（最大径／最小径）の平均値が１〜１．５であることを特徴とする高耐食性防錆塗料用Ｚｎ合金粒子。ここで、１次粒子とは、前記衝突または破砕前のＺｎ合金粒子をいう。
【手続補正２】
【補正対象書類名】特許請求の範囲
【補正対象項目名】請求項１０
【補正方法】変更
【補正の内容】
【請求項１０】
質量％で、前記Ｚｎ合金粒子と前記Ｚｎ金属粒子の混合粒子の合計を１００％としたとき、Ｍｇの含有量が０．１１〜３０％未満であることを特徴とする請求項８または９に記載の高耐食性防錆塗料。
【手続補正３】
【補正対象書類名】明細書
【補正対象項目名】００１６
【補正方法】変更
【補正の内容】
【００１６】
本発明は以上の検討の結果もたらされたもので、すなわち、本発明による課題解決の手段は、
〔１〕質量％で、Ｍｇ：０．１１〜３０％を含有し、残部Ｚｎ及び不可避的不純物からなる１次粒子を互いに衝突させて、又は該１次粒子を固体に衝突させて、該１次粒子を破砕し、形成される物理的破砕面および／または長さ０．０１μｍ以上のき裂、もしくは深さ０．０１μｍ以上のき裂を有し、平均粒径が０．０５〜２００μｍで、最大径と最小径のアスペクト比（最大径／最小径）の平均値が１〜１．５であることを特徴とする高耐食性防錆塗料用Ｚｎ合金粒子。ここで、１次粒子とは、前記衝突または破砕前のＺｎ合金粒子をいう。
〔２〕更に、質量％で、Ａｌ：０．０１〜３０％、Ｓｉ：０．０１〜３％の１種又は２種を含有することを特徴とする前記〔１〕記載の高耐食性防錆塗料用Ｚｎ合金粒子。
〔３〕前記Ｚｎ合金粒子の表面にＭｇ固溶相及びＺｎ−Ｍｇ金属間化合物を有することを特徴とする前記〔１〕又は〔２〕に記載の高耐食性防錆塗料用Ｚｎ合金粒子。
〔４〕前記Ｚｎ−Ｍｇ金属間化合物が、ＭｇＺｎ2、Ｍｇ2Ｚｎ11、Ｍｇ2Ｚｎ3、ＭｇＺｎまたは、Ｍｇ7Ｚｎ3のうち、１種以上を含むことを特徴とする前記〔３〕に記載の高耐食性防錆塗料用Ｚｎ合金粒子。
〔５〕非球状多面体で、面数が２面以上であることを特徴とする前記〔１〕〜〔４〕の何れかに記載の高耐食性防錆塗料用Ｚｎ合金粒子。
〔６〕前記〔１〕〜〔５〕の何れかに記載のＺｎ合金粒子の製造方法であって、前記〔１〕又は〔２〕に記載の成分からなる平均粒径０．０５〜１０００μｍの１次粒子を互いに衝突させて、又は該１次粒子を固体に衝突させて、該１次粒子を破砕し、前記物理的破砕面および／または、き裂を有するＺｎ合金粒子を製造することを特徴とする高耐食性防錆塗料用Ｚｎ合金粒子の製造方法。ここで、１次粒子とは、前記衝突または破砕前のＺｎ合金粒子をいう。
〔７〕前記１次粒子を有機溶媒中にスラリー状に分散させた後、前記スラリー同士を衝突させて、又は前記スラリーを固体に衝突させて、前記１次粒子を破砕することを特徴とする前記〔６〕に記載の高耐食性防錆塗料用Ｚｎ合金粒子の製造方法。
〔８〕前記〔１〕〜〔５〕の何れかに記載のＺｎ合金粒子を、乾燥塗膜換算で３０質量％以上含有することを特徴とする高耐食性防錆塗料。
〔９〕前記Ｚｎ合金粒子に加え、さらに平均粒径０．０５〜５０μｍのＺｎ及び不可避的不純物からなるＺｎ金属粒子を分散させた高耐食性防錆塗料であって、質量％で、（前記Ｚｎ合金粒子量）：（前記Ｚｎ金属粒子量）の比の値を１／ｘとしたとき、ｘが３００．０以下であることを特徴とする前記〔８〕に記載の高耐食性防錆塗料。
〔１０〕質量％で、前記Ｚｎ合金粒子と前記Ｚｎ金属粒子の混合粒子の合計を１００％としたとき、Ｍｇの含有量が０．１１〜３０％未満であることを特徴とする前記〔８〕または〔９〕に記載の高耐食性防錆塗料。
〔１１〕前記高耐食性防錆塗料のバインダーが、無機系バインダーまたは、有機系バインダーのいずれかであることを特徴とする、〔８〕〜〔１０〕の何れかに記載の高耐食性防錆塗料。
〔１２〕鋼材面に前記〔８〕〜〔１１〕の何れかに記載の高耐食性防錆塗料が塗装された鉄鋼材料であって、塗装厚みが２〜７００μｍで、前記Ｚｎ合金粒子、又は前記Ｚｎ合金粒子及び前記Ｚｎ金属粒子が塗膜中に分散していることを特徴とする高耐食性鉄鋼材料。
〔１３〕前記〔１２〕に記載の高耐食性鉄鋼材料を一部又は全部に有することを特徴とする鋼構造物。
【手続補正４】
【補正対象書類名】明細書
【補正対象項目名】００１９
【補正方法】変更
【補正の内容】
【００１９】
本発明ではＺｎ合金粒子中のＭｇ含有量は、Ｍｇ：０．０１〜３０％とすることが必要である。物理的破砕面を有し、かつ平均粒径が０．０５〜２００μｍの場合に、Ｍｇ０．０１％未満でも物理的破砕面を有しない同量のＭｇを添加したＺｎ合金粒子に比較して耐食性・防食性の有意な向上は認められるが、物理的破砕面および／または、き裂との組み合わせによってもたらされると見られる著しい耐食性・防食性の向上効果が顕著には得られない。すなわち、物理的破砕面および／または、き裂を有しＭｇを０．０１％以上添加したＺｎ合金粒子の相乗効果による著しい耐食性・防食性の向上効果が本発明の基本技術である。一方Ｍｇを３０％を超えて添加すると、上記効果が飽和するばかりか、経済性および製造性を阻害することから、Ｍｇの添加量は０．０１％以上３０％以下とした。ただし、この添加量の最適値は平均粒径によって変化し、一般にスプレー塗装において最適と考えられる平均粒径０．２〜３０μｍの場合には、下限は０．１％とし、上限は２０％とすることが耐食性・防食性の向上効果、経済性の観点から好ましい。さらに、製造安定性、経済性、耐食性を考慮すると０．２％〜１５％が好ましい。なお、本発明でいう物理的破砕面とは、球状の粒子の一部が欠落した形状を指す。Ｚｎ合金粒子が物理的破砕面を有することにより、後述のように耐食性・防食性の向上効果が顕著に得られる。なお、Ｚｎ合金粒子中のＭｇ含有量の下限値は、実施例に基づいて０．１１％とする。
【手続補正５】
【補正対象書類名】明細書
【補正対象項目名】００３５
【補正方法】変更
【補正の内容】
【００３５】
一方、上記した本発明の破砕面および／または、き裂を有するＺｎ合金粒子と前記Ｚｎ金属粒子の混合効果は、おおよそ全防錆顔料中に含まれるＭｇの含有量でも整理することが可能で、質量％で、本発明の物理的破砕面および／または、き裂を有するＺｎ合金粒子と前記Ｚｎ金属粒子の混合粒子の合計を１００％としたとき、Ｍｇの含有量を０．０１〜３０％未満として使用することができる。さらに付け加えると破砕面および／または、き裂を有する合金粒子とＺｎ金属粒子の混合効果が最も顕著な範囲である０．１〜２０％とすることが耐食性向上の効果安定性からは好ましく、加えて経済性を考慮すると０．５〜１５％とすることがより好ましいが、目的に応じて適宜適用できる。なお、物理的破砕面および／または、き裂を有するＺｎ合金粒子と前記Ｚｎ金属粒子の混合粒子の合計を１００％としたとき、Ｍｇの含有量の下限値を、実施例に基づいて、０．１１％とする。
【手続補正６】
【補正対象書類名】明細書
【補正対象項目名】００５８
【補正方法】変更
【補正の内容】
【００５８】
【表１−１】
2008280607.tif 000001
【表１−２】
2008280607.tif 000002
【表１−３】
2008280607.tif 000003
【表１−４】
2008280607.tif 000004
【表１−５】
2008280607.tif 000005
【表１−６】
2008280607.tif 000006
【表１−７】
2008280607.tif 000007
【表１−８】
2008280607.tif 000008
【表１−９】
2008280607.tif 000009
【表１−１０】
2008280607.tif 000010
【表１−１１】
2008280607.tif 000011
【表１−１２】
2008280607.tif 000012
【表１−１３】
2008280607.tif 000013
【手続補正７】
【補正対象書類名】明細書
【補正対象項目名】００５９
【補正方法】変更
【補正の内容】
【００５９】
【表２−１】
2008280607.tif 000014
【表２−２】
2008280607.tif 000015
【表２−３】
2008280607.tif 000016
【表２−４】
2008280607.tif 000017
【表２−５】
2008280607.tif 000018
【表２−６】
2008280607.tif 000019
【表２−７】
2008280607.tif 000020
【表２−８】
2008280607.tif 000021
【表２−９】
2008280607.tif 000022
【表２−１０】
2008280607.tif 000023
【表２−１１】
2008280607.tif 000024
【表２−１２】
2008280607.tif 000025
【手続補正８】
【補正対象書類名】明細書
【補正対象項目名】００６０
【補正方法】変更
【補正の内容】
【００６０】
【表３−１】
2008280607.tif 000026
【表３−２】
2008280607.tif 000027
【表３−３】
2008280607.tif 000028
【表３−４】
2008280607.tif 000029
【表３−５】
2008280607.tif 000030
【表３−６】
2008280607.tif 000031
【表３−７】
2008280607.tif 000032
【表３−８】
2008280607.tif 000033
【表３−９】
2008280607.tif 000034
【表３−１０】
2008280607.tif 000035
【表３−１１】
2008280607.tif 000036
【表３−１２】
2008280607.tif 000037
【表３−１３】
2008280607.tif 000038
【手続補正９】
【補正対象書類名】明細書
【補正対象項目名】００６１
【補正方法】変更
【補正の内容】
【００６１】
【表４−１】
2008280607.tif 000039
【表４−２】
2008280607.tif 000040
【表４−３】
2008280607.tif 000041
【表４−４】
2008280607.tif 000042
【表４−５】
2008280607.tif 000043
【表４−６】
2008280607.tif 000044
【表４−７】
2008280607.tif 000045
【表４−８】
2008280607.tif 000046
【表４−９】
2008280607.tif 000047
【表４−１０】
2008280607.tif 000048
【表４−１１】
2008280607.tif 000049
【表４−１２】
2008280607.tif 000050
【表４−１３】
2008280607.tif 000051
【手続補正１０】
【補正対象書類名】明細書
【補正対象項目名】００６２
【補正方法】変更
【補正の内容】
【００６２】
【表５−１】
2008280607.tif 000052
【表５−２】
2008280607.tif 000053
【表５−３】
2008280607.tif 000054
【表５−４】
2008280607.tif 000055
【表５−５】
2008280607.tif 000056
【表５−６】
2008280607.tif 000057
【表５−７】
2008280607.tif 000058
【表５−８】
2008280607.tif 000059
【表５−９】
2008280607.tif 000060
【表５−１０】
2008280607.tif 000061
【表５−１１】
2008280607.tif 000062
【表５−１２】
2008280607.tif 000063
【表５−１３】
2008280607.tif 000064
【表５−１４】
2008280607.tif 000065
【表５−１５】
2008280607.tif 000066
【手続補正１１】
【補正対象書類名】明細書
【補正対象項目名】００６３
【補正方法】変更
【補正の内容】
【００６３】
【表６−１】
2008280607.tif 000067
【表６−２】
2008280607.tif 000068
【表６−３】
2008280607.tif 000069
【表６−４】
2008280607.tif 000070
【表６−５】
2008280607.tif 000071
【表６−６】
2008280607.tif 000072
【表６−７】
2008280607.tif 000073
【表６−８】
2008280607.tif 000074
【表６−９】
2008280607.tif 000075
【表６−１０】
2008280607.tif 000076
【表６−１１】
2008280607.tif 000077
【表６−１２】
2008280607.tif 000078
【手続補正１２】
【補正対象書類名】明細書
【補正対象項目名】００６４
【補正方法】変更
【補正の内容】
【００６４】
【表７−１】
2008280607.tif 000079
【表７−２】
2008280607.tif 000080
【表７−３】
2008280607.tif 000081
【表７−４】
2008280607.tif 000082
【表７−５】
2008280607.tif 000083
【表７−６】
2008280607.tif 000084
【表７−７】
2008280607.tif 000085
【表７−８】
2008280607.tif 000086
【表７−９】
2008280607.tif 000087
【表７−１０】
2008280607.tif 000088
【表７−１１】
2008280607.tif 000089
【表７−１２】
2008280607.tif 000090
【表７−１３】
2008280607.tif 000091
【手続補正１３】
【補正対象書類名】明細書
【補正対象項目名】００６５
【補正方法】変更
【補正の内容】
【００６５】
【表８−１】
2008280607.tif 000092
【表８−２】
2008280607.tif 000093
【表８−３】
2008280607.tif 000094
【表８−４】
2008280607.tif 000095
【表８−５】
2008280607.tif 000096
【表８−６】
2008280607.tif 000097
【表８−７】
2008280607.tif 000098
【表８−８】
2008280607.tif 000099
【表８−９】
2008280607.tif 000100
【表８−１０】
2008280607.tif 000101
【表８−１１】
2008280607.tif 000102
【表８−１２】
2008280607.tif 000103
【表８−１３】
2008280607.tif 000104
【手続補正１４】
【補正対象書類名】明細書
【補正対象項目名】００６６
【補正方法】変更
【補正の内容】
【００６６】
【表９】
2008280607.tif 000105